(57)【要約】【課題】  外光・外気の温度が変化しても、窓ガラスに沿わせた断熱材に歪みを生じさせることのない複合断熱窓ガラス構造を提供する。【解決手段】  本発明の複合断熱窓ガラス構造は、窓ガラスの有効面の外周にＣ型保持具を貼着し、該Ｃ型保持具に断熱材を保持させることを特徴とする。前記窓ガラスの四周に貼着されるＣ型保持具の少なくとも一つが、開閉可能となっていることが好ましい。【選択図】  図１
2010065438.tif 000002
【特許請求の範囲】
【請求項１】
窓ガラスの有効面の外周にＣ型保持具を貼着し、該Ｃ型保持具に断熱材を保持させることを特徴とする複合断熱窓ガラス構造。
【請求項２】
前記窓ガラスの四周に貼着されるＣ型保持具の少なくとも一つが、開閉可能となっている請求項一に記載の複合断熱窓ガラス構造。
【発明の詳細な説明】
【技術分野】
【０００１】
本発明は、外光・外気からの断熱と結露防止とを実現することができる窓ガラス構造に関する。
【背景技術】
【０００２】
近年、省エネルギーの考え方が広く普及しており、住宅、事務所、店舗等各種建築物の断熱性向上に対する要求も年々高まっている。屋根、壁、床などと共に、窓部分における断熱処理が建築物全体の断熱性向上に不可欠であることは明らかであり、窓部分の断熱性を向上させる為の試みも従来より多くなされている。
中空複層ガラス板を窓枠に嵌め込んだり、ガラス窓全体を二重にすれば、断熱性が飛躍的に向上することは明らかであるが、これらはコストがかかり、簡単に採用することは出来なかった。即ち、中空複層ガラス板は生産工場においてそのサイズが決定されており、単層ガラス板の様に、施工現場において窓枠の寸法に合せて自由に切断することは実際上不可能であり、施工の為のコストも安くはなかった。
【０００３】
また、普通のガラス板が嵌め込まれている既存のガラス窓を中空複層ガラス板に変更することは、厚さや寸法の点からほとんど不可能であった。
新設の場合であっても、ガラス窓自体を二重にすることは大変コストがかかるであり、北海道などの寒冷地域においては昔から行われてきたとはいえ、手軽に実施できる断熱対策とは言えない。
窓ガラスの外側に遮光性を有するフィルムを貼着することも試みられたが、夏季の室内温度の低下にはそれなりに効果が見られたものの、風雨等の影響を受けフィルム自体の劣化につながるということも意識されるようになってきた。
【０００４】
外気から室内の温度を保持するため、あるいは結露を防ぐために窓のガラス面に断熱材を取り付ける試みとして、断熱材の全面に多数の穴をあけ、吸盤の吸着面の反対側を該穴に差し込み貫通させ抜け止め部材を装着することにより断熱材に吸盤を抜け止めし、窓のガラス面や平滑な壁面に吸盤部分を圧着することにより着脱自在に取り付けられるように構成した吸盤取り付け式断熱材が提案されている（特許文献１参照）。
この場合には、ガラスと合成樹脂製の断熱材との熱膨張率の差に起因して、断熱材に歪みが生じ、断熱材を通しての窓外風景に著しい歪みが生じる問題がある。
【０００５】
【特許文献１】特開２００１−２２７２５４号公報
【発明の開示】
【発明が解決しようとする課題】
【０００６】
本発明は、上述した問題点を解消しようとするもので、外光・外気の温度が変化しても、窓ガラスに沿わせた断熱材に歪みを生じさせることのない複合断熱窓ガラス構造を提供することを課題とする。
【課題を解決するための手段】
【０００７】
本発明の複合断熱窓ガラス構造は、窓ガラスの有効面の外周にＣ型保持具を貼着し、該Ｃ型保持具に断熱材を保持させることを特徴とする。前記窓ガラスの四周に貼着されるＣ型保持具の少なくとも一つが、開閉可能となっていることが好ましい。
【発明の効果】
【０００８】
本発明の複合断熱窓ガラス構造における断熱材は、Ｃ型保持具の呑み込み容量内で、窓ガラス材との熱膨張量の差が吸収されるので、温度変化によっても、断熱材の透視景観に歪みが生じることがない。
【発明を実施するための最良の形態】
【０００９】
本発明は、Ｃ型保持具による被保持材の摺動・移動可能性を利用することによって、熱膨張量を吸収・対応することを基本とする。
以下に、添付図面を参照しつつ、本発明を詳細に説明する。
図１は、本発明の複合断熱窓ガラス構造における窓ガラスに設けられたＣ型保持具とそのＣ型保持具の呑み込み内に保持された断熱材との関係を示す概念図、図２は、本発明の第１の実施の形態における、Ｃ型保持具と断熱材との関係を示す一例の概念図である。図３は、本発明の第２の実施の形態における改良Ｃ型保持具の構造を示し概念図である。
図１には、窓枠１に嵌め込まれた窓ガラス２の有効面の外周に貼着されたＣ型保持具３に保持された断熱材４が示されている。
【００１０】
Ｃ型保持具３は、窓の内側の窓ガラス２の有効面、すなわち窓枠１に覆われていない部分、の外周一杯に、例えば両面テープ（図示せず）等を利用して、貼着されている。窓枠１とＣ型保持具３との間に隙間があると、その隙間を通して外気の状態が室内に反映されるので、その隙間は、可能な限り、ゼロとするように施工されることが望ましい。
Ｃ型保持具３の保持口５には、断熱材４が挿入される。断熱材４は、Ｃ型保持具３に対して摺動可能な状態で、Ｃ型保持具３の呑み込み６内に適宜の余裕７を持たせて挿入される。すなわち、その余裕７によって、窓ガラス２と断熱材４との熱膨張率の差に基づく長さ変化が吸収可能となる。
【００１１】
本発明の第１の実施の形態によれば、窓ガラス２の上側に配置されるＣ型保持具３と、左右何れ側のものでの良いが、図示例では右側の側部Ｃ型保持具との呑み込みが十分に大きく、左側の側部Ｃ型保持具（図示は省略するが、下側に配置されるＣ型保持具）の呑み込みは相対的に狭くなされている。
このような構造によれば、断熱材４を右上方向に寄せれば、左下側隅部位置の断熱材隅部はＣ型保持具から解放され、断熱材の弾性を利用して、断熱材を歪ませて、断熱材をＣ型保持具から取り出すことが可能になる。
断熱材のＣ型保持具への装着も、同様に可能である。
この場合、吸盤治具（図示せず）等を用いることによって、断熱材の一部をその弾性を利用して、断熱材を移動させ、また、その一部を変形・歪ませて取り出しないし移動操作を行うことができる。
断熱材を移動させる等の取り扱いに際しては、例えば、吸盤を備えた取っ手様の治具などを用いると便利である。
【００１２】
本発明の第２の実施の形態においては、図３に示されるように、窓ガラスの有効面の四周に貼着されるＣ型保持具の少なくとも一つが開閉可能となっている。開閉され得る開閉Ｃ型保持具の上片（開閉片）８は、開閉Ｃ型保持具の下片（固定片）９と薄肉部１０を介して開閉可能に接続している。上片および下片には、適宜の数の雄雌対のホック状等の固着具１１、１２が形成されている。
この態様によるときは、開閉Ｃ型保持具の上片（開閉片）８を開いた状態で、開閉Ｃ型保持具の上方から、隣接する両側のＣ型保持具の呑み込みに横から滑り込ませるように断熱材を挿入する。この場合には、吸盤を備えた取っ手様の治具などは格別必要がない。
【００１３】
Ｃ型保持具は、窓ガラスに適宜の手段、例えば粘着剤とか、両面接着テープ等で、固着される。Ｃ型保持具と断熱材との間は、Ｃ型保持具の弾性によって、密閉性が保たれる。
これらの固着態様によって、窓ガラスと断熱材との間の空間は、実用の範囲内で密閉され、室温と外気温との熱移動が遮断されると同時に、結露等が生じる虞がない。
Ｃ型保持具は、例えば、スチール製、ステンレス製やプラスチック製で構成することができる。
【００１４】
断熱材は、例えば、ポリカーボネート、アクリルや塩化ビニルで構成することができる。断熱材は、採光性を重視する場合には、透光系のものを、また、ガラスを通しても室内に入り込む熱を遮断することを重視する場合には、反射系のものを、用いることができる。
【図面の簡単な説明】
【００１５】
【図１】本発明の複合断熱窓ガラス構造における窓ガラスに設けられたＣ型保持具とそのＣ型保持具の呑み込み内に保持された断熱材との関係を示す概念図である。
【図２】本発明の第１の実施の形態における、Ｃ型保持具と断熱材との関係を示す一例の概念図である。
【図３】本発明の第２の実施の形態における改良Ｃ型保持具の構造を示し概念図である。
【符号の説明】
【００１６】
１：窓枠
２：窓ガラス
３：Ｃ型保持具
４：断熱材
５：（Ｃ型保持具３の）保持口
６：（Ｃ型保持具３の）呑み込み
７：余裕
８：（開閉Ｃ型保持具の）上片（開閉片）
９：（開閉Ｃ型保持具の）下片（固定片）
１０：薄肉部
１１：固着具
１２：固着具
【図１】
2010065438.tif 000003
【図２】
2010065438.tif 000004
【図３】
2010065438.tif 000005